(57)【要約】      （修正有）【課題】着用しているときに生じる勢いを利用して、瞬きをする目状の装飾品を提供する。【解決手段】目状の装飾品は、本体と、ベース２０と、回転カバー３０とを有し、前記本体は、中空であり、前記本体の頂部の中央部分に設けられた開口部１１０を有する。前記回転カバーは、前記本体の内部に配置され、前記本体に回転可能に取り付けられており、前記回転カバーの中央部に設けられた貫通穴３３を有する。前記回転カバーの外方に向かうように湾曲した複数の突起３１が前記貫通穴に隣接して前記回転カバーの外面に間隔を置いて形成されている。前記回転カバーの端部に、前記本体の内部へ伸びる垂直部分が形成されている。前記突起は、前記本体の、装飾的なリブ１１１と反対側の端部に向かって傾いており、前記貫通穴は前記開口部の中に位置する。前記垂直部分は、前記突起を前記本体の前記端部に維持し、目を開けた様子を示し、前記回転カバーの回転は瞬きの動きを生じさせる。【選択図】図２
0003154853.tif 000002
【実用新案登録請求の範囲】
【請求項１】
頂部、底部及び前記頂部の中央部分に設けられた開口部を有する中空の本体と、
前記本体の前記底部に接続されたベースと、
前記本体の内部に配置され、前記本体に回転可能に取り付けられた回転カバーとを含み、
前記回転カバーは、該回転カバーの中央部に設けられた貫通穴と、
前記貫通穴に隣接して前記回転カバーの外面に間隔を置いて形成され、それぞれが前記回転カバーの外方へ突出する、湾曲した複数の突起と、
前記突起に隣接して前記回転カバーの端部に形成され、前記本体の内部へ伸びる垂直部分とを有する、目状の装飾品。
【請求項２】
前記本体の前記底部は凹状であり、前記本体の前記頂部は前記底部に取り付けられており、前記回転カバーは前記本体の前記頂部に回転可能に取り付けられており、前記突起は、前記貫通穴の中央部から放射状に伸び、前記本体の前記頂部の前記開口部を貫いている、請求項１に記載の装飾品。
【請求項３】
前記ベースは、前記本体の前記底部に接続された指輪である、請求項１又は２に記載の装飾品。
【請求項４】
複数の装飾的なリブが前記開口部に隣接して前記本体の前記頂部の端部分の外面に放射状に設けられている、請求項１又は２に記載の装飾品。
【請求項５】
複数の装飾的なリブが前記開口部に隣接して前記本体の前記頂部の端部分の外面に放射状に設けられている、請求項３に記載の装飾品。
【請求項６】
複数の装飾的なリブが前記開口部に隣接して前記本体の前記頂部の端部分の外面に放射状に設けられている、請求項４に記載の装飾品。
【請求項７】
前記本体の前記頂部の各側部分にタブが形成されており、前記本体の前記底部は、それぞれが前記タブに対応し、該タブを収容する２つの凹所を有し、前記回転カバーの各側部は前記タブの内側部に回転可能に取り付けられている、請求項５に記載の装飾品。
【考案の詳細な説明】
【技術分野】
【０００１】
本考案は、目を開けた様子又は目を閉じた様子を示す目状の装飾品に関する。
【背景技術】
【０００２】
多くの装飾品が、ガラスのような高価でない宝石、猫目石のようなやや高価な宝石又は真の宝石をコレットに固定することにより作られている。いくつかの装飾品は、該装飾品の内部に宝石を隠す又は単に宝石を露出させることにより宝石を装飾する。
【０００３】
従来の装飾品には、目の動きをするものがある。前記装飾品は、ベースと、該ベースに取り付けられた眼球状の装飾体と、該装飾体の周囲に環状に配置され、前記ベースに固定された装飾部材と、該装飾部材の相対する２つの端部のそれぞれに回転可能に取り付けられ、目の開閉の動きをするシャッターとを有する。前記シャッターは、静止した前記ベースに対して動くために外力を要し、通常、開いている又は部分的に閉じている。前記装飾品は、前記宝石を見せないため、美的な魅力が乏しい。
【考案の概要】
【考案が解決しようとする課題】
【０００４】
本考案の目的は、瞬きの動きをするために、着用しているときに生じる勢いを利用する目状の装飾品を提供することである。
【課題を解決するための手段】
【０００５】
本考案に係る目状の装飾品は、中空の本体と、ベースと、回転カバーとを有する。前記本体は、頂部と、底部と、前記頂部の中央部分に設けられた開口部とを有する。前記ベースは前記本体の前記底部に接続されている。前記回転カバーは、前記本体の内部に配置され、前記本体に回転可能に取り付けられている。前記回転カバーは、該回転カバーの中央部に設けられた貫通穴と、該貫通穴に隣接して前記回転カバーの外面に間隔を置いて形成され、前記回転カバーの外方に向かうように湾曲した複数の突起と、該突起に隣接して前記回転カバーの端部に形成され、前記本体の内部へ伸びる垂直部分とを有する。
【０００６】
前記装飾品を使用しているとき、前記回転カバーは、前記突起が装飾的なリブから離れ、目を開けた様子を示すように、前記貫通穴を前記本体の前記開口部の中に位置付けるために前記開口部に対して回転する、又は、前記回転カバーは、前記突起が前記リブに近付き、目を閉じた様子を示すように、前記本体の内部へ回転する。前記本体の内部へ伸びる前記垂直部分は前記突起を前記リブから離れた状態に維持し、着用者が前記回転カバーを回転させるように動いたとき、前記回転カバーは瞬きの動きをする。前記装飾品は、外力を要することなく瞬きの動きをすることができ、美的な魅力を与えることができる。
【０００７】
本考案の他の目的、利点及び新規な特徴は、添付の図面に関する以下の詳細な説明からより明らかになる。
【図面の簡単な説明】
【０００８】
【図１】本考案に係る目状の装飾品の斜視図。
【図２】本考案に係る目状の装飾品の分解斜視図。
【図３】第１状態における本考案に係る目状の装飾品の部分断面図。
【図４】第２状態における本考案に係る目状の装飾品の部分断面図。
【図５】第１状態における本考案に係る目状の装飾品の他の部分断面図。
【考案を実施するための形態】
【０００９】
図１、２に示すように、目状の装飾品が、本体１０と、ベース２０と、回転カバー３０とを有する。
【００１０】
本体１０は、卵状かつ中空であり、頂部１１と、底部１２とを有する。底部１２は凹状である。本体１０の頂部１１の中央部分に開口部１１０が設けられている。複数の装飾的なリブ１１１が開口部１１０に隣接して本体１０の頂部１１の端部分に放射状に設けられており、複数の、ダイヤモンドのような宝石で取り囲まれている。本体１０の頂部１１の各側部分に、該側部分から下方へ伸びるタブ１１２が形成されている。本体１０の底部１２は、宝石で取り囲まれた装飾的な複数の弧状の縞状物により囲まれている。本体１０の底部１２の各側部分に、タブ１１２を収容する凹所が形成されている。本体１０の頂部１１は底部１２を覆う。
【００１１】
ベース２０は、本体１０に接続されており、好ましくは、指に嵌められる、本体１０の底部１２に接続された指輪である。ベース２０は複数の装飾的な貫通穴を有する。
【００１２】
回転カバー３０は、本体１０の内部にあって本体１０の頂部１１と底部１２との間に配置されており、開口部１１０を開閉するために軸３０１によりタブ１１２の内側部に回転可能に取り付けられている。回転カバー３０は、本体１０の底部１２と比べて本体１０の頂部１１に向けられた、該頂部の内面に対応する曲面を形成するように湾曲している。回転カバー３０は、該回転カバーの中央部に設けられ、猫目石のような宝石で取り囲まれた貫通穴３３を有する。本体１０のリブ１１１と反対側の回転カバー３０の端部に、間隔を置かれた複数の突起３１が形成されている。各突起３１は、湾曲しており、回転カバー３０の外方へ突出している。突起３１は、貫通穴３３の中央部から放射状に伸びており、本体１０の頂部１１の開口部１１０を貫いている。回転カバー３０の前記端部は、突起３１に隣接しており、垂直部分３２を形成するために本体１０の内部へ伸びている。垂直部分３２は、目を開けた様子を示すために、突起３１を本体１０のリブ１１１から離した状態に維持し、貫通穴３３が本体１０の開口部１１０の中に位置するようにする。
【００１３】
図３ないし５に示すように、ベース２０は、例えば指に嵌められ、前記装飾品を水平にすることにより、垂直部分３２を有する回転カバー３０は、貫通穴３３の中の宝石が瞳に似るように回転カバー３０の中央部の貫通穴３３を維持し、回転カバー３０の突起３１は、本体１０の、リブ１１１と反対側の端部へ傾く。前記装飾品が動かされたとき、回転カバー３０は本体１０に対して回転し、回転カバー３０の貫通穴３３は本体１０の開口部１１０と本体１０の内部との間で動き、回転カバー３０の突起３１は、まぶたを閉じる動きに似た、本体１０のリブ１１１の間への動きをする。このため、着用者の動きが、これと同時に回転カバー３０を回転させ、生き生きとした瞬きの動きを生じさせる。全体の様子が素早く生き生きとしているため、人々に前記装飾品の着用を促すことができる。
【符号の説明】
【００１４】
１０    本体
１１    頂部
１２    底部
２０    ベース
３０    回転カバー
３１    突起
３２    垂直部分
３３    貫通穴
１１０    開口部
１１１    リブ
１１２    タブ
【図１】
0003154853.tif 000003
【図２】
0003154853.tif 000004
【図３】
0003154853.tif 000005
【図４】
0003154853.tif 000006
【図５】
0003154853.tif 000007